(57)【要約】【課題】簡単に採用でき、撤去や移動も容易となるデスクトップパネルを提供する。【解決手段】天板Ｔ上に載せ置かれる左右一対のベース１と、各々のベース１に支持させた支柱２とを具備し、それらの支柱２，２間にパネル本体３を架け渡すとともに、支柱２に棚４をも取り付け可能としたデスクトップパネルである。そして、支柱２へのパネル本体３の取付位置を、支柱２への棚４の取付位置よりも奥方に設定して、支柱２、２間の対向空間を開放することとした。【選択図】図３
2004008588.tif 000002
【特許請求の範囲】
【請求項１】
天板上に載せ置かれる左右一対のベースと、各々のベースに支持させた支柱とを具備し、それらの支柱間にパネル本体を架け渡すとともに、前記支柱にパネル本体以外の機能部材をも取り付け可能としたデスクトップパネルであって、
前記支柱へのパネル本体取付位置を、当該支柱への機能部材取付位置よりも奥方に設定したことを特徴とするデスクトップパネル。
【請求項２】
支柱の後壁を幅方向及び奥行方向に同時に延びる傾斜壁により形成し、この傾斜壁をパネル本体取付位置としている請求項１記載のデスクトップパネル。
【請求項３】
支柱の前壁にフック孔を形成し、この前壁を機能部材取付位置としている請求項１又は２記載のデスクトップパネル。
【請求項４】
パネル本体以外の機能部材が、左右の支柱間に架け渡される棚であり、棚の幅方向縁部近傍を支柱の前壁に対向させるとともに、棚の幅方向中央部を左右の支柱間の対向空間に挿し込んで取り付けるようにしている請求項１〜３記載のデスクトップパネル。
【請求項５】
パネル本体の幅寸法が、天板の幅寸法よりも狭小である請求項１〜４記載のデスクトップパネル。
【発明の詳細な説明】
【０００１】
【発明の属する技術分野】
本発明は、天板に載せ置いて使用するものであって、特にその天板上におけるスペースファクタの向上を図ったデスクトップパネルに関するものである。
【０００２】
【従来の技術】
机等にデスクトップパネルを付帯させる場合、従来は、机の一部に細工を施してデスクトップパネルを固定するか、或いは、床に自立性のあるローパーティションを配置して机に付帯させるか、何れかの態様により天板上に遮蔽された作業空間を形成するようにしているのが通例である。
【０００３】
【発明が解決しようとする課題】
ところが、何れの態様によっても、デスクトップパネルによる遮蔽機能を簡単には手に入れることはできず、撤去や付け替えもさほど気軽に行えるものでもない。このため、より手軽に利用できるデスクトップパネルがあれば便利である。
【０００４】
本発明は、このようなデスクトップパネルを新たに提供しようとするものである。
【０００５】
【課題を解決するための手段】
本発明は、かかる目的を達成するために、次のような構成を採用したものである。
【０００６】
すなわち、本発明のデスクトップパネルは、天板上に載せ置かれる左右一対のベースと、各々のベースに支持させた支柱とを具備し、それらの支柱間にパネル本体を架け渡すとともに、前記支柱にパネル本体以外の機能部材をも取り付け可能とするものである。そして、前記支柱へのパネル本体取付位置を、当該支柱への機能部材取付位置よりも奥方に設定したことを特徴とする。
【０００７】
天板上に載せ置いて使用するのであれば、取付作業が不要であり、床上に自立するような取扱いに不便なものともならない。この場合、天板上の一定スペースを占有することは避け難いが、このものは、パネル本体以外の機能部材をも取り付け可能としているので、天板上を極力有効利用できる環境を用意することができる。また、パネル本体取付位置を機能部材取付位置よりも奥方に設定しており、通常の手法によれば左右の支柱間の対向空間に配置されることとなるパネル本体の配設位置を奥方に偏位させることもできるため、支柱間の対向空間を極力開放して作業空間や収納空間等として有効利用する態様も可能になる。
【０００８】
具体的な実施の態様としては、支柱の後壁を幅方向及び奥行方向に同時に延びる傾斜壁により形成し、この傾斜壁をパネル本体取付位置としているものや、支柱の前壁にフック孔を形成し、この前壁を機能部材取付位置としているもの等が挙げられる。
【０００９】
より具体的には、パネル本体以外の機能部材が、左右の支柱間に架け渡される棚であり、棚の幅方向縁部近傍を支柱の前壁に対向させるとともに、棚の幅方向中央部を左右の支柱間の対向空間に挿し込んで取り付けて、ラックとしても使用できるようにしておくことが好ましい。
【００１０】
天板の一部に遮蔽機能があれば足りる場合には、パネル本体の幅寸法を、天板の幅寸法よりも狭小なものとして、天板面を極力開放しておくことが望ましい。
【００１１】
【発明の実施の形態】
以下、本発明の一実施形態を、図面を参照して説明する。
【００１２】
この実施形態のデスクトップパネルは、図１〜図４に示すように、天板Ｔ上に載せ置かれる左右一対のベース１と、各々のベース１に支持させた支柱２とを具備し、それらの支柱２間にパネル本体３を架け渡すとともに、前記支柱２にパネル本体３以外の機能部材として棚４をも取り付けることができるようにしている。
【００１３】
具体的に説明すると、ベース１は、スチール製のものであり、このベース１の後壁側の一部を部分的に支柱２の中空部内に嵌め合わせて装着し、その位置で支柱２に設けた図示しない固定ナットにベース１の肉厚内を貫通したネジをそれぞれネジ止めして、ベース１及び支柱２を相互に連結している。ベース１の先端部及び後端部の下面には机の天板Ｔに接地する位置にそれぞれ接地体１１が取り付けてある。
【００１４】
支柱２は、図５に拡大断面図で示すように、アルミ素材を押し出し成形することにより、前壁２１及び側壁２２に加え、後壁側を奥行方向及び巾方向に同時に略４５゜の角度をなして延びる一対の傾斜壁２３で構成した平断面視略五角形状の中空剛体をなすものであり、前壁２１に支柱１の上端から下端に亘る２列の第１のスリット２４を形成している。前記第１のスリット２４の奥方の空間２４Ｓ内には後述するフック４１を挿入し得るフック孔２ａを縦方向に所定ピッチで設けた平面視Ｌ字状の取付金具２Ａを備えている。この取付金具２Ａを前壁２１の内面及び側壁２２の内面に当接又は近接するように前記空間２４Ｓの内部に嵌め入れた状態において、フック孔２ａが前記第１のスリット２４を介して支柱２の前壁２１側に開放されている。また、後壁を形成する一対の傾斜壁２３にそれぞれ第２のスリット２５を設け、この第２のスリット２５の開口よりも拡開した内空に、次に述べるパネル本体３を取り付けるためのネジ孔２ｂを有する板ナット２Ｂを長手方向に挿入している。
【００１５】
パネル本体３は、図５及び図６に示すように、左右の縦枠５及び上下の横枠６で四辺を包囲された状態で左右の支柱２，２間に取り付けられる。縦枠５は、前記傾斜壁２３に平行な取付片５１と、この取付片５１に連続する位置にあってパネル本体３に前面側及び背面側から挟み込むように対向する前片５２及び後片５３とを具備するものである。そして、これらの前後片５２、５３間に形成される間隙に正面視Ｌ字形のコーナー金具７の鉛直部７１を挿し込んだ状態で、前片５２と鉛直部７１との間にパネル本体３の側縁３ａを挿し込み、この位置で後片５３から挿入したねじｖ１を鉛直部７１に設けたねじ孔７１ａにねじ止めしている。また、横枠６は、前片６１、水平片６２及び後片６３を具備し、パネル本体３側に開口するチャネル状のものである。そして、その開口から前後片６１，６３間に形成される間隙にコーナー金具７の水平部７２を挿し込み、この位置で後片６３から挿入したねじｖ２を水平部７２に設けたねじ孔７２ａにねじ止めしている。縦枠５及び横枠６の後片５３、６３の先端には前方に屈曲する屈曲部５３ａ、６３ａが設けてあり、それぞれコーナー金具７の鉛直部７１及び水平部７２の縁部７１ｂ、７２ｂに抱くように係わり合うようになっている。コーナー金具７は、鉛直部７１及び水平部７２がそれぞれ断面Ｌ字状をなしており、前後方向に延びる片７１ｃ、７２ｃがそれぞれパネル本体３の側縁３ａ及び上下縁３ｂに対する押さえとなっている。このコーナー金具７は、パネル本体３を閉じ込めると同時に縦枠５と横枠６とを連結する役割をも果たすものであるが、縦枠５と横枠６が突き合う位置には、両枠５、６が干渉せずに適切に密着できるように４５°の上向きカット面５ｚ、下向きカット面６ｚが設けてある。このパネル本体３は、前述したように支柱２の傾斜壁２３に取り付けられるものであり、傾斜壁２３よりも前方に位置する支柱２の側壁２２側には迫り出さず、側壁２２と側壁２２の間の支柱間対向空間は開放された状態となる。
【００１６】
棚４は、板金素材を塑性変形加工し、その側縁後端部に左右の支柱２の内側のフック孔２４に係合可能なフック４１（図４参照）を上下一対に備えてなるもので、これらのフック４１をフック孔２ａに係合させた状態で、幅方向端部近傍を支柱２の前壁２１に対向させ、幅方向中央部を左右の支柱２，２間の対向空間に挿し込んで配置し得るようにしている。そのために、棚面の後縁側のコーナー部に支柱２の一部を受け入れる凹みが設けてあり、その凹み部分に臨む後向き面４ａ（図３参照）が支柱２の前壁２１に対向し、外向き面４ｂが支柱２の側壁２２に沿って配置される。
【００１７】
なお、この実施形態は、左右の支柱２の適宜部位間を横架材８によって連結している。横架材８は、パネル本体３と取付金具２Ｂを共用できるものであり、横架材８の一部に支柱２の傾斜壁２３に沿って延びる取付片（図示省略）が設けてある。そして、この取付片を第２のスリット２５を介して取付金具２Ｂにねじ止めするようにしている。また、図４において符号８ａを付したものは横架材８の背面に形成した横配線ダクト、図５において符号９を付したものはパネル本体３とともに傾斜壁２３に共締めした縦配線ダクトであり、デスクトップパネルの付加価値を高めている。
【００１８】
以上のように、本実施形態のデスクトップパネルは、天板Ｔ上に載せ置かれる左右一対のベース１と、各々のベース１に支持させた支柱２とを具備し、それらの支柱２、２間にパネル本体３を架け渡すとともに、支柱２にパネル本体３以外の機能部材として棚４をも取り付け可能としたものである。そして、前記支柱２へのパネル本体取付位置をねじ孔２ｂを有する傾斜壁２３とし、当該支柱２への棚取付位置をフック孔２ａを有する前壁２１とし、前者を後者よりも奥方に設定したものである。
【００１９】
このように、本実施形態のデスクトップパネルは、机の一部を細工して取り付け固定するものではなく、床上に自立させるものでもないため、取付作業が不要であり、軽量コンパクトなため取扱いも極めて便利なものとなる。この場合、天板Ｔ上の一定スペースを占有することは避け難いが、このものは、デスクトップパネルとしての機能だけではなく、棚４も取り付け可能として卓上ラックとしてもこのデスクトップパネルを利用できるようにしているので、天板上の空間を上下方向に利用できる機能を付与して制約の多い天板面を極力有効利用できる環境を用意することができる。また、パネル本体取付位置を棚取付位置よりも奥方に設定しており、通常の手法によれば左右の支柱２，２間の対向空間に密実に配置されてここを塞ぐであろうパネル本体３の配設位置を奥方に偏位させているため、支柱２，２間の対向空間（図５中領域Ｘ部分）が開放され、作業空間や収納空間等としてこの部位を有効活用することを可能にしたものである。
【００２０】
例えば、この実施形態では、棚４の幅方向縁部近傍を支柱２の前壁２１に対向させるとともに、棚４の幅方向中央部を左右の支柱２，２間の対向空間に挿し込んで取り付けて、ラックとしても使用できるようにしており、挿し込んだ分だけ棚面の奥行寸法をより多く確保することを可能にしているため、パネル本体３を奥方へ退避させた効果はこの点にも活かされているものである。
【００２１】
なお、本実施形態は傾斜壁２３に縦枠５を介してパネル本体３を固定するため、パネル本体３を幅方向と奥行方向に同時に固定することとほぼ等価であり、幅方向にのみ固定する場合や、奥行方向にのみ固定する場合に比べて、パネル本体３の取付状態は簡単な操作でより確実なものになる。
【００２２】
さらに、図１に明らかなように、この実施形態ではパネル本体３の幅寸法を天板Ｔの幅寸法よりも狭小としており、遮蔽機能が天板上の一部分にあれば足りる場合には、特に天板上に載せ置いて使用される本実施形態のデスクトップパネルの弊害はより一層低減されるものとなる。また、本実施形態のデスクトップパネルは、上述したようなパネル本体３の取付構造であるから、パネル本体３の上下方向の寸法やその取付位置を任意に設定することができ、必要な種々の遮蔽機能を有効に実現することができるものである。例えば、図２のパネル本体３は左右の支柱２と上下の横架材８とによって囲まれる空間の全域を遮蔽するものであったが、図７に示すようにパネル本体３をその空間の上半分を遮蔽する大きさ、取付位置のものにしたり、逆に当該空間の下半分のみを遮蔽するものにしたり、さらには当該空間の上下方向中間位置のみを遮蔽するものにするなど、その遮蔽機能は随意に設定、選択することができるものである。
【００２３】
なお、各部の具体的な構成は、上述した実施形態のみに限定されるものではなく、本発明の趣旨を逸脱しない範囲で種々変形が可能である。例えば、パネル本体以外の機能部材は、棚に限らず、種々のものを採用することができる。
【００２４】
【発明の効果】
以上説明したように本発明によれば、簡単、手軽にデスクトップパネルによる遮蔽機能を手に入れることができ、不要になったときの撤去や他のデスクへの付け替えも極めて簡単、気軽に行え、しかもスペース的に制約の多い天板上に載せ置いても極力弊害を生じないようにした、従来にはない新規有用なデスクトップパネルを提供できるものである。
【図面の簡単な説明】
【図１】本発明の一実施形態を天板上に載せ置いた状態で示す斜視図。
【図２】同正面図。
【図３】同平面図。
【図４】同側面図。
【図５】パネル本体の支柱への取付構造を示す部分拡大平断面図。
【図６】パネル本体の支柱への取付構造を示す分解斜視図。
【図７】本発明の変形例を示す図。
【符号の説明】
Ｔ…天板
１…ベース
２…支柱
３…パネル本体
４…棚
２１…前壁
２３…傾斜壁
２４…フック孔
【図１】
2004008588.tif 000003
【図２】
2004008588.tif 000004
【図３】
2004008588.tif 000005
【図４】
2004008588.tif 000006
【図５】
2004008588.tif 000007
【図６】
2004008588.tif 000008
【図７】
2004008588.tif 000009